(57)【特許請求の範囲】
【請求項１】
光信号を多重して光多重信号を出力する多重部と、
中心波長とバンド幅とを変更可能であり、前記多重部が出力する光多重信号を入力する光バンドパスフィルタと、
前記多重部の品種に基づいて、前記中心波長と前記バンド幅とを特定する波長帯制御情報を記憶する記憶部と、
前記波長帯制御情報に基づいて、前記光バンドパスフィルタの中心波長とバンド幅とを制御し、前記光バンドパスフィルタに複数波長の光信号をフィルタリングさせる制御部と、を備える光波長多重装置。
【請求項２】
前記制御部は、前記波長帯制御情報が不定値であることを検出し、前記光バンドパスフィルタにゲートを閉じさせることを特徴とする請求項１記載の光波長多重装置。
【請求項３】
前記多重部から出力する光多重信号を分岐する分岐部と、
前記分岐させた光信号を入力し、入力断を検出する入力断検出部と、をさらに備え、
前記制御部は、前記入力断が検出された場合、前記入力断が検出されず前記波長帯制御情報が不定値であった場合のいずれかが発生すると、前記ゲートを閉じさせ、異常状態を通知する特徴とする請求項２記載の光波長多重装置。
【請求項４】
請求項１乃至３のいずれか一項に記載の光波長多重装置を複数備え、
前記複数の光波長多重装置から出力される波長帯が異なる複数の光多重信号をさらに多重するブロック多重部をさらに備える光波長多重装置。
【請求項５】
中心波長とバンド幅とを変更可能な光バンドパスフィルタと、
前記中心波長と前記バンド幅とを特定する波長帯制御情報を記憶する記憶部と、
前記波長帯制御情報に基づいて、前記光バンドパスフィルタの中心波長とバンド幅とを制御し、前記光バンドパスフィルタに複数波長の光信号をフィルタリングさせる制御部と、
前記光バンドパスフィルタから出力される光信号を入力する分割部と、を備え、
前記記憶部は、前記分割部の品種に基づいて、前記中心波長と前記バンド幅とを特定した波長帯制御情報を記憶する光波長分割装置。
【請求項６】
前記制御部は、前記波長帯制御情報が不定値であることを検出し、
前記光バンドパスフィルタは、前記検出が通知されるとゲートを閉じることを特徴とする請求項５記載の光波長分割装置。
【請求項７】
請求項５または６記載の光波長分割装置を複数備え、
光多重信号を波長帯が異なる複数の光多重信号に分割し、前記複数の光波長分割装置へ出力するブロック分割部をさらに備える光波長分割装置。
【請求項８】
請求項１乃至３のいずれか一項に記載の光波長多重装置と、
請求項５または６に記載の光波長分割装置と、を備える光波長分割多重装置。
【請求項９】
前記光波長分割多重装置は、
前記光波長多重装置と前記光波長分割装置とを複数備え、さらに、
前記複数の光波長多重装置の光信号を多重するブロック多重部と、
前記ブロック多重部から光多重信号を入力し、前記光多重信号を分割して前記複数の光波長分割装置それぞれへ入力するブロック分割部と、を備えることを特徴とする請求項８記載の光波長分割多重装置。
【請求項１０】
光波長多重装置と光波長分割装置との少なくとも一方に搭載される光バンドパスフィルタの制御方法であって、
中心波長とバンド幅とを変更できる光バンドパスフィルタの中心波長とバンド幅とを、光信号を多重して光多重信号を出力する多重部と前記光バンドパスフィルタから出力される光信号を入力する分割部とのいずれかの品種に基づいて特定する波長帯制御情報を決定し、
前記波長帯制御情報に基づいて、光バンドパスフィルタの中心波長とバンド幅とを制御し、前記光バンドパスフィルタに複数波長の光信号をフィルタリングさせる光バンドパスフィルタの制御方法。
【発明の詳細な説明】
【技術分野】
【０００１】
本発明は、中心波長、ハンド幅を可変可能な光バンドバスフィルタを搭載した装置及び制御方法に関する。
【背景技術】
【０００２】
特許文献１には、通信状態を維持しながら通信需要に見合った光波長多重器及び光体重分配器を順次増設する技術が開示されている。この技術は、マスター架とスレーブ架により構成され、初期運用時にはマスター架により所定の光波長信号数を処理運用し、光波長信号の増加需要に見合ってスレーブ架の結合により順次増設するものである。
【０００３】
関連する光波長分割多重装置について図５、６を参照して説明する。図５は光波長多重装置であり、図６は光波長分割装置である。図５の光波長多重装置において、ＯＳ１ｐ−１〜ＯＳ１ｐ−ｋから出力された波長の異なる光信号は、ＤＣＭ２ｐ−１〜ＤＣＭ２ｐ−ｋにより個別分散補償され、ＣＰＬ３ｐでλ１〜λｋの光波長多重信号となる。光波長多重信号λ１〜λｋは、ＤＣＭ５ｐによって一括分散補償され、ＤＣＭ２ｐ−１〜ＤＣＭ２ｐ−ｋ、ＣＰＬ３ｐ、ＤＣＭ５ｐの挿入損失を補うためにＡＭＰ６により増幅される。ＡＭＰ６出力の光波長多重信号λ１〜λｋは、あらかじめ中心波長、バンド幅が固定された光バンドパスフィルタ２０に入力される。
【０００４】
また、図６の光波長分割装置において、光波長多重信号λ１〜λｋは、ＢＰＦ２１ｐに入力される。ＢＰＦ２１ｐより出力された光波長多重信号λ１〜λｋは、ＤＣＭ１３ｐにより一括分散補償されて、ＤＣＭ１３ｐの挿入損失を補うためにＡＭＰ１４ｐにより増幅される。ＡＭＰ１４ｐ出力の光波長多重信号λ１〜λｋは、ＳＰＬ１５ｐによりそれぞれの波長に分割されて、ＤＣＭ１７ｐ−１〜ＤＣＭ１７−ｋにより個別分散補償されて、ＯＲ１８ｐ−１〜ＯＲ１８ｐ−ｋに受信される。
【０００５】
しかしながら、ブロック波長帯の光バンドパスフィルタは中心波長、バンド幅が固定されており、伝送システムの伝送距離や伝送ファイバ特性によって、より最適なブロック波長帯の中心波長、バンド幅、分割数の組合せがあったとしても変更することができなかった。特許文献２には、発光ダイオード出力から特定波長をフィルタで抜き出して信号レーザとする技術が公開されている。しかし、光波長多重装置または光波長分割装置内で伝送する光波長帯に応じて光バンドパスフィルタの中心波長やハンド幅を変更する技術を適用するものではなかった。
【０００６】
また、ブロック波長帯増設において、波長や光パワーレベルなど装置仕様に適合しない他装置などの光波長多重部の入力を受けると、波長帯域内であればどのような信号でも通過してしまうため、信号遮断できずに伝送システム全体へ悪影響を与える恐れがあった。また、誤接続も通知されなかったため、不具合の発生を検知することが遅れたり、不具合の発生原因の解明に時間を要していた。
【特許文献１】再公表特許ＷＯ０２／０１１３３７号公報
【特許文献２】特開平０３−２３３４２５号公報
【発明の開示】
【発明が解決しようとする課題】
【０００７】
本発明は、光波長分割多重装置に可変光バンドパスフィルタを搭載し、伝送する光波長帯に応じて光バンドパスフィルタの中心波長、バンド幅を変更する装置及び制御方法を提供することを目的の一つとする。
【課題を解決するための手段】
【０００８】
本発明に係る光波長多重装置の一態様は、光信号を多重して光多重信号を出力する多重部と、中心波長とバンド幅とを変更可能であり、前記多重部が出力する光多重信号を入力する光バンドパスフィルタと、前記中心波長と前記バンド幅とを特定する波長帯制御情報を記憶する記憶部と、前記波長帯制御情報に基づいて、前記光バンドパスフィルタの中心波長とバンド幅とを制御する制御部と、を備える。
【０００９】
また、本発明係る光波長分割装置の一態様は、中心波長とバンド幅とを変更可能な光バンドパスフィルタと、前記中心波長と前記バンド幅とを特定する波長帯制御情報を記憶する記憶部と、前記波長帯制御情報に基づいて、前記光バンドパスフィルタの中心波長とバンド幅とを制御する制御部と、前記光バンドフィルタから出力される光信号を入力する分割部と、を備える。
【００１０】
さらに、本発明に係る光波長分割多重装置の一態様は、上記記載の光波長多重装置と、上記記載の光波長分割装置と、を備える。
【００１１】
本発明に係る光バンドパスフィルタの制御方法は、光波長多重装置と光波長分割装置との少なくとも一方に搭載される光バンドパスフィルタの制御方法であって、中心波長とバンド幅とを変更できる光バンドパスフィルタの中心波長とバンド幅とを特定する波長帯制御情報を決定し、前記波長帯制御情報に基づいて、光バンドパスフィルタの中心波長とバンド幅とを制御する。
【発明の効果】
【００１２】
本発明によれば、光波長分割多重装置に可変光バンドパスフィルタを搭載し、伝送する光波長帯に応じて光バンドパスフィルタの中心波長、バンド幅を変更する装置及び制御方法を提供することができる。
【発明を実施するための最良の形態】
【００１３】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１４】
また、本明細書では、同じ構成要素が複数存在し、それぞれを区別する場合に、符号に"−ｎ"（ｎ＞０の整数）付加して、複数の構成要素それぞれを区別するものとする。例えば、図１では、複数のＯＳ１−１、１−２・・・１−ｋを示している。例えば、図１を用いて説明する場合、ＯＳ１は、複数のＯＳ１−１〜ＯＳ１−ｋのいずれか一つまたは複数を示すものとし、ＯＳ１−１（あるいは、ＯＳ１−２など）は、複数のＯＳのそれぞれを区別して示すものとする。
【００１５】
本発明の各実施形態では、光波長分割多重装置において、送信側と受信側それぞれが、一つまたは複数のブロック波長帯の装置から構成される場合に適用する光波長多重装置及び光波長分割装置について説明する。ブロック波長帯とは、光信号伝送する波長範囲をいくつかのブロックに分けることを意味する。
【００１６】
（実施形態１）
図１は、本発明の実施形態１に係る光波長多重装置の構成例を示すブロック図である。図１に示す光波長多重装置１００は、複数のブロック波長帯の装置から構成される場合、各送信側ブロック波長帯の光信号を多重する装置の構成例ともなる。光波長多重装置１００は、信号送信器（ＯＳ）１−１〜１−ｋ、分散補償器（ＤＣＭ）２−１〜２−ｋ、多重部（光波長多重部、ＣＰＬ）３、波長帯制御情報４、ＤＣＭ５、光増幅器（ＡＭＰ）６、分岐部７、入力断検出回路（入力断検出部）８、光バンドパスフィルタ（ＢＰＦ）９、及び制御回路（制御部）１０を備える。図１では、光波長多重装置１００は、ＯＳ１とＤＣＭ２とをｋ個備え、ｋ個の異なる光信号を多重する装置の構成例を示している。
【００１７】
ＯＳ１−１〜ＯＳ１−ｋは、それぞれ波長λ１〜λｋの異なるｋ個の光信号を出力する。ＤＣＭ２−１〜２−ｋは、波長λ１〜λｋの異なる波長分散を持つ光信号に対して個別に分散補償の一部を行う。多重部３は、波長λ１〜λｋの光信号を波長多重する光合波器である。ＤＣＭ５は、波長λ１〜λｋの異なる波長分散を持つ光信号に対して一括して分散補償の一部を行う。ＡＭＰ６は、λ１〜λｎの信号帯域における光信号を増幅する。
【００１８】
波長帯制御情報４は、光バンドパスフィルタ９の中心波長およびバンド幅を制御するための情報である。波長帯制御情報４は装置内の記憶領域（記憶部）に記憶されている。記憶領域は、制御回路１０内に配置されていてもよいし、光波長多重装置１００内の他の領域に配置されていてもよい。波長帯制御情報４は、多重部３に基づいて（例えば、搭載される多重部３の品種）決定され、中心波長およびバンド幅を特定する。波長帯制御情報４が特定する情報に基づいてＢＰＦ９の中心波長およびバンド幅が決定されることになる。従って、波長帯制御情報４によって、光波長多重装置が出力する光信号のバンド幅が決定されることになる。
【００１９】
分岐部７は、ＡＭＰ６出力の光パワーをＢＰＦ９と入力断検出回路８に分岐する光分岐器である。
入力断検出回路８は、ＡＭＰ６出力の有無を監視する。
ＢＰＦ９は、中心波長およびバンド幅を任意に選択可能なチューナブル光バンドパスフィルタである。ＢＰＦ９は、光信号（光多重信号）を通過させるゲートを開くモードと、光信号を遮断するゲートを閉めるモードとを備え、制御回路１０によってゲートの開閉が制御される。
制御回路１０は、波長帯制御情報４からの情報（ＢＰＦ９の中心波長、バンド幅の設定値）と入力断検出回路８からの情報（ＡＭＰ６出力の有無）を利用してＢＰＦ９を制御する。
【００２０】
図１の光波長多重装置１００のＢＰＦ９の制御動作は次の通りである。制御回路１０は、多重部３に基づいて生成された波長帯制御情報４によりＢＰＦ９を制御するための中心波長およびバンド幅の情報を得る。また、制御回路１０は、入力断検出回路８より前方の光信号有無の情報を得る。ＢＰＦ９は、制御回路１０が波長帯制御情報４且つ光信号有りを認識すると、信号帯域外に設定されているデフォルト値から、波長帯制御情報４より設定された中心波長、バンド幅となるように可変して、光多重信号を通過させるためのゲートを開く。
【００２１】
図２は、本発明の実施形態１に係る光波長分割装置の構成例を示すブロック図である。図２に示す光波長分割装置２００は、複数のブロック波長帯の装置から構成される場合、各受信側ブロック波長帯の光信号を分割する装置の構成例ともなる。光波長分割装置２００は、ＢＰＦ１１、制御回路（制御部）１２、ＤＣＭ１３、ＡＭＰ１４、分割部（光波長分割部、ＳＰＬ）１５、波長帯制御情報１６、ＤＣＭ１７−１〜１７−ｋ、及び、ＯＳ１−１〜１−ｋ、を備える。図２では、光波長分割装置２００は、ＯＳ１とＤＣＭ２とをｋ個備え、入力した光信号をｋ個の異なる光信号に分割する装置の構成例を示している。
【００２２】
本明細書において、光波長多重装置１００と光波長分割装置２００との双方で同じ名称の構成要素がある場合、光波長多重装置１００に搭載されている構成要素を送信側、光波長分割装置２００に搭載されている構成要素を受信側として区別することがある。例えば、送信側制御回路１０あるいは受信側制御回路１２のように区別して記すことがある。
【００２３】
ＢＰＦ１１は、中心波長およびバンド幅を任意に選択可能なチューナブル光バンドパスフィルタである。ゲートの開閉については、ＢＰＦ９と同様である。
ＤＣＭ１３は、波長λ１〜λｋの異なる波長分散を持つ光信号に対して一括して分散補償の一部を行う。ＡＭＰ１４は、λ１〜λｎの信号帯域における光信号を増幅する。分割部１５は、波長λ１〜λｋの光信号を波長分割する。ＤＣＭ１７−１〜１７−ｋは、波長λ１〜λｋの異なる波長分散を持つ光信号に対して個別に分散補償の一部を行うｋ個の分散補償器である。ＯＲ１８−１〜ＯＲ１８−ｎは、波長λ１〜λｋの異なる光信号を受信するｋ個の信号受信器である。
【００２４】
波長帯制御情報１６は、ＢＰＦ１１の中心波長およびバンド幅を制御するための情報である。記憶領域に記憶されている点は波長帯制御情報４と同様である。また、波長帯制御情報１６は、分割部１５に基づいて（例えば、搭載される分割部１５の品種）生成され、中心波長およびバンド幅を特定する。波長帯制御情報１６が特定する情報に基づいてＢＰＦ１１の中心波長およびバンド幅が決定されることになる。従って、波長帯制御情報１６によって、光波長分割装置が光波長多重装置から入力する多重された光信号のバンド幅が決定されることになる。
【００２５】
制御回路１２は、波長帯制御情報１６からの情報（ＢＰＦ１１の中心波長、バンド幅の設定値）を利用してＢＰＦ１１を制御する。
【００２６】
図２の光波長分割装置２００のＢＰＦ１１の制御動作は次の通りである。制御回路１２は、光波長分割部１５が持つ波長帯制御情報１６よりＢＰＦ１１を制御するための中心波長およびバンド幅の情報を得る。ＢＰＦ１１は、制御回路１２が波長帯制御情報１６を認識すると、信号帯域外に設定されているデフォルト値から、波長帯制御情報１６より設定された中心波長、バンド幅となるように可変して、光多重信号を通過させるためのゲートを開く。
【００２７】
このようにして、本実施形態では、ＢＰＦ９、１１として採用したチューナブル光バンドパスフィルタの中心波長、バンド幅を、波長帯制御情報４，１６（中心波長とバンド幅）によって自動的に可変することで、様々なバリエーションのブロック波長帯を設計できる。また、波長帯制御情報を持たない不定なものや誤った制御情報を持ったものが接続された場合には、光多重信号を通過させるためのゲートを閉じる（チューナブル光バンドパスフィルタは信号帯域外のまま可変しない）ため、誤接続による信号入力を防止することが可能である。
なお、光波長多重装置１００及び光波長分割装置２００の装置全体の動作は実施形態２で詳細に説明する。
【００２８】
このように、本実施形態によれば、光波長分割多重装置に可変光バンドパスフィルタを搭載し、伝送する光波長帯に応じて光バンドパスフィルタの中心波長、バンド幅を変更する装置及び制御方法を提供することができる。
【００２９】
（実施形態２）
実施形態１では、本発明に係る光波長多重装置と光波長分割装置の構成例を示した。本実施形態では、実施形態１で示した光波長多重装置または光波長分割装置を複数備え、各装置がブロック波長帯毎に光波長を多重または分割する構成例を説明する。
【００３０】
図３は、光信号を多重して異なる複数の送信側ブロック波長帯１〜ｒの光多重信号とし、さらに複数の送信側ブロック波長帯１〜ｒの光多重信号を多重した光多重信号を出力する光波長多重装置の構成例を示すブロック図である。また、図４は、光多重信号を異なる複数のブロック波長帯の光多重信号に分割し、さらにブロック波長帯の光多重信号を分割する光波長分割装置の構成例を示すブロック図である。
【００３１】
図３に示す光波長多重装置３００は、複数の光波長多重装置１００−１〜１００−ｒとブロック多重部１１０とを備える。光波長多重装置１００−１〜１００−ｒそれぞれは、異なる送信側ブロック波長帯の光多重信号を出力する。光波長多重装置１００−１〜１００−ｒそれぞれは、光信号λ１〜λｎをブロックごとに多重し、全体としてｒ個に分割された光信号を出力することになる。光波長多重装置１００−１〜１００−ｒは、図１に示す光波長多重装置１００と同じ構成であるため、説明を省略する。光波長多重装置１００−１〜１００−ｒは、光波長多重装置３００と区別するため、ブロック波長帯多重部ともいう。
【００３２】
ブロック多重部１１０は、送信側ブロック波長帯１〜送信側ブロック波長帯ｒの複数波長帯でそれぞれ合波された光多重信号を、光多重信号λ１〜λｎに波長多重する光合波器である。
【００３３】
図４に示す光波長分割装置４００は、複数の光波長分割装置２００−１〜２００−ｒとブロック分割部２１０備える。光波長分割装置２００−１〜２００−ｒそれぞれは、ｒ個の異なる受信側ブロック波長帯１〜ｒの光多重信号を分割する。光波長分割装置２００−１〜２００−ｒは、図２に示す光波長分割装置２００と同じ構成であるため、説明を省略する。光波長分割装置２００−１〜２００−ｒは、光波長分割装置４００と区別するため、ブロック波長帯分割部ともいう。
【００３４】
ブロック分割部２１０は、光波長多重装置３００から入力する光多重信号λ１〜λｎの光パワーを複数に分岐する光分岐器である。ここでは、ｒ個の光波長分割装置２００−１〜２００−ｒにそれぞれ出力するように光多重信号λ１〜λｎの光パワーを分岐させる。ここでは受信側ブロック波長帯１〜ｒに分岐させる。
【００３５】
続いて、本実施形態の動作を図３および図４を用いて説明する。図３の光波長多重装置１００−１において、ＯＳ１−１〜ＯＳ１−ｋの波長の異なる光信号は、ＤＣＭ２−１〜２−ｋにより個別分散補償されて、多重部３でλ１〜λｋの光波長多重信号となる。光波長多重信号λ１〜λｋは、ＤＣＭ５により一括分散補償されて、ＤＣＭ２−１〜２−ｋ、多重部３、ＤＣＭ５の挿入損失を補うためにＡＭＰ６により増幅される。ＡＭＰ６出力の光波長多重信号λ１〜λｋは、その出力有無をモニタするために分岐部７により主経路であるＢＰＦ９側と副経路である入力断検出回路８側に２分岐される。
【００３６】
ここで、制御回路１０−１は、波長帯制御情報４が正しく定義された値で、且つ入力断検出回路８−１で入力断未検出と判定すると、ＢＰＦ９−１に信号帯域外に設定されているデフォルト値から、波長帯制御情報４−１より設定された中心波長、バンド幅となるように可変させて、光波長多重信号を通過させるためのゲートを開かせる。これにより、ＢＰＦ９−１は、送信側ブロック波長帯１の光多重信号をブロック多重部１１０へ出力する。
【００３７】
また、制御回路１０−１は、波長帯制御情報４−１の値あるいは入力断の検出のいずれかに不具合が検出されると、ＢＦＰ９−１にゲートを閉めさせ、異常状態を通知する。具体的には、制御回路１０−１は、波長帯制御情報４が正しく定義された値で、入力断検出と判定すると、ＢＰＦ９のゲートを閉させて信号遮断し、入力断を通知する。制御回路１０−１は、波長帯制御情報４−１が不定値で、入力断未検出と判定すると、ＢＰＦ９−１のゲートを閉じて信号遮断し、誤接続を通知する。波長帯制御情報４が不定値で、入力断検出と判定されると、光バンドパスフィルタのゲートを閉じて信号遮断するし、入力断を通知する。上記では光波長多重装置１００−１の場合を説明したが、他の光波長多重装置１００−２〜１００−ｒも同様であるため説明を省略する。
【００３８】
ブロック多重部１１０は、光波長多重装置１００−１〜１００−ｒそれぞれから出力されたブロック波長帯１〜ｒの光多重信号を多重し、光波長多重信号λ１〜λｋを出力する。光波長多重信号λ１〜λｋは、図４の光波長分割装置４００のブロック分割部２１０へ入力される。
ブロック分割部２１０は、光波長多重信号λ１〜λｋを受信側ブロック波長帯１〜ｒの光多重信号に分割し、光波長分割装置２００−１〜２００−ｒそれぞれへ出力する。
【００３９】
図４の光波長分割装置２００−１において、光波長多重信号λ１〜λｋは、ＢＰＦ１１−１に入力される。ここで、制御回路１２−１は、波長帯制御情報１６−１が正しく定義された値であると判定すると、ＢＰＦ１１−１に信号帯域外に設定されているデフォルト値から、波長帯制御情報１６より設定された中心波長、バンド幅となるように可変させて、光多重信号を通過させるためのゲートを開かせる。また、制御回路１２−１は、波長帯制御情報１６が不定値と判定すると、ＢＰＦ１１−１にゲートを閉じさせて信号遮断し、誤接続を通知する。
【００４０】
ＢＰＦ１１−１のゲートが開いた場合、ＢＰＦ１１−１より出力された光波長多重信号λ１〜λｋは、ＤＣＭ１３により一括分散補償されて、ＤＣＭ１３−１の挿入損失を補うためにＡＭＰ１４−１により増幅される。ＡＭＰ１４−１出力の光波長多重信号λ１〜λｋは、ＳＰＬ１５−１によりそれぞれの波長に分割されて、ＤＣＭ１７−１〜１７−ｋにより個別分散補償されて、ＯＲ１８−１〜ＯＲ１８−ｋに受信される。上記では光波長分割装置２００−１の場合を説明したが、他の光波長分割装置２００−１〜２００−ｒも同様であるため説明を省略する。
【００４１】
このように、本実施形態によれば、光波長分割多重装置に可変光バンドパスフィルタを搭載し、伝送する光波長帯に応じて光バンドパスフィルタの中心波長、バンド幅を変更する装置及び制御方法を提供することができる。また、ＢＰＦの中心波長とバンド幅とを調整することによって、ブロック波長帯のブロック数を変更することが可能になる。
【００４２】
以上説明したように、上記各実施形態では、光波長分割多重装置において、光波長多重側と光波長分割側それぞれにチューナブル光バンドパスフィルタを搭載し、フィルタの中心波長、バンド幅を自動的に可変して、伝送システムの伝送距離や伝送ファイバ特性によって、より最適な分割波長帯の中心波長、バンド幅、分割数の組合せに変更すること、および光波長多重部への信号誤接続を防止する機能を設けている。このような装置及び制御方法により、以下に記載するような効果を奏する。
【００４３】
第１の効果は、光波長多重装置または光波長分割装置の光バンドパスフィルタは波長帯制御情報によって中心波長、バンド幅を可変することができる。これにより、複数のブロック波長帯により光波長分割多重装置を構成する場合、伝送システムの伝送距離や伝送ファイバ特性によって、より最適なブロック波長帯の中心波長、バンド幅、分割数の組合せに変更することが可能である。従って、ブロック波長帯の中心波長、バンド幅、分割数について自由度の高い設計を行うことができる。例えば、伝送路分散の波長傾斜が小さい場合は、一括分散補償の波長帯域を広く（光バンドパスフィルタのバンド幅を広く）することで分割波長帯の数を少なくし、装置構成をコンパクトにする工夫が考えられる。また、波長傾斜が大きい場合は、一括分散補償の波長帯域を狭く（光バンドパスフィルタのバンド幅を狭く）することで分割波長帯の数を多くし、個別分散補償量を少なくする工夫が考えられる。
【００４４】
第２の効果は、ブロック波長帯増設において、波長や光パワーレベルなど装置仕様に適合しない他装置などの光波長多重信号入力を受けると、波長帯制御情報が不定であるために異常検出されて、光バンドパスフィルタのゲートを閉じて信号遮断するとともに誤接続の通知が可能である。例えば、光バンドパスフィルタの波長帯制御情報を持たない不定な波長多重部、波長分割部が接続された場合、チューナブル光バンドパスフィルタのゲートを閉じて信号遮断し、且つ誤接続を通知することができる。これにより、分割波長多重部への信号誤接続を防止することができる。
【００４５】
なお、本発明は上記に示す実施形態に限定されるものではない。本発明の範囲において、上記実施形態の各要素を、当業者であれば容易に考えうる内容に変更、追加、変換することが可能である。
【図面の簡単な説明】
【００４６】
【図１】本発明の実施形態１に係る光波長多重装置の構成例を示すブロック図である。
【図２】本発明の実施形態１に係る光波長分割装置の構成例を示すブロック図である。
【図３】光信号を多重して異なる複数の送信側ブロック波長帯の光信号とし、さらに多重した光多重信号を出力する光波長多重装置の構成例を示すブロック図である。
【図４】光多重信号を異なる複数のブロック波長帯の光多重信号に分割し、さらにブロック波長帯の光多重信号を分割する光波長分割装置の構成例を示すブロック図である。
【図５】関連する光波長多重装置を示すブロック図である。
【図６】関連する光波長分割装置を示すブロック図である。
【符号の説明】
【００４７】
１−１〜１−ｋ、１８−１〜１８−ｋ  信号送信器（ＯＳ）
２−１〜２−ｋ、５、１３、１７−１〜１７−ｋ  分散補償器（ＤＣＭ）
３  多重部（ＣＰＬ）
４、１６  波長帯制御情報
６、１４  光増幅器（ＡＭＰ）
７  分岐部
８  入力断検出回路
９、１１  光バンドパスフィルタ（ＢＰＦ）
１０、１２  制御回路
１５  分割部（ＳＰＬ）
１００、１００−１〜１００−ｒ、３００  光波長多重装置
１１０  ブロック多重部
２００、２００−１〜２００−ｒ、４００  光波長分割装置
２１０  ブロック分割部
【図１】
0005266796.tif 000002
【図２】
0005266796.tif 000003
【図３】
0005266796.tif 000004
【図４】
0005266796.tif 000005
【図５】
0005266796.tif 000006
【図６】
0005266796.tif 000007